(57)【特許請求の範囲】
【請求項１】
柄部ａと、
前記柄部ａの上端に前記柄部ａと一体成形され中央部が開口し、パフＰを受ける周縁部ｂと、
前記周縁部ｂの内側に、前記周縁部ｂとの間に前記パフＰを挟む隙間ｅを開けて設けられた舌状部ｄと、
前記周縁部ｂと前記舌状部ｄとに一体成形され、前記舌状部ｄの上端部を前記周縁部ｂの上端部へ揺動可能に連結する連設部ｃと、
を有することを特徴とする柄付きパッド。
【請求項２】
前記舌状部ｄが少なくとも一方の面に向けて凸面ｆをなし、前記凸面ｆ側にパフＰを挟む請求項１記載の柄付きパッド。
【請求項３】
前記柄部ａの中間に折畳機構Ｇを備えた請求項１又は請求項２に記載の柄付きパッド。
【発明の詳細な説明】
【０００１】
【発明の属する技術分野】
この発明は、化粧水、乳液、オイルなど化粧液を身体に塗布及びパッティングするための柄付きパッドに関するものである。
【０００２】
【従来の技術】
柄付きパッドの公知例としては、実開平６ー５２７１３号公報がある。図９はこの従来例に示された柄付きパッドを示すものである。即ち、柄部１の上端に周縁部２とパフＰを挟むための切り溝３を介して舌状部４が外向きに形成されたもので、舌状部４の最上端にはパフＰを保持するためのストッパー５が設けられた柄付きパッドである。
【０００３】
かかる柄付きパッドの出現により手の届かない背中の方にも化粧液を簡単に塗れることとなった。しかるに、この柄付きパッドには大きな欠点があり、例えば背中等に化粧液を塗っている場合に柄を握って叩くこととなる。このため、パフＰに遠心力が加わり、舌状部４が外向きに解放された構造となっているので、パフＰが周縁部２と舌状部４とで挟まった状態に維持されず飛び出してしまうという大きな欠点がある。このため、ストッパー５を備えることとしているが、根本的な解決にならないことは明らかで、マッサージ効果をねらって強く叩いた場合には、ストッパー５があっても殆ど機能を果たさず、パフＰが飛び出してしまうことは避けられない。
【０００４】
更に、手の届かない背中等を叩くこととなるため、柄の部分が長いものが好ましいことは言うまでもないが、このことは逆に携帯には不便であり、販売上もネックとなっていたものである。
【０００５】
【発明が解決しようとする課題】
本発明は柄付きパッドの改良にかかるものであり、柄を持って叩いた場合でもパフＰが飛び出さない構造としたものであり、好ましくは携帯にも便利なように構造を変更したものである。
【０００６】
【課題を解決するための手段】
本発明の要旨は、柄部ａと、前記柄部ａの上端に前記柄部ａと一体成形され中央部が開口し、パフＰを受ける周縁部ｂと、前記周縁部ｂの内側に、前記周縁部ｂとの間に前記パフＰを挟む隙間ｅを開けて設けられた舌状部ｄと、前記周縁部ｂと前記舌状部ｄとに一体成形され、前記舌状部ｄの上端部を前記周縁部ｂの上端部へ揺動可能に連結する連設部ｃと、を有することを特徴とする柄付きパッドにかかり、好ましくは、舌状部ｄが少なくとも一方の面に向けて凸面ｆをなし、凸面ｆ側にパフＰを挟んだ柄付きパッドであって、最も好ましくは、柄部ａの中間に折畳が自在の機構Ｇを備えた柄付きパッドである。
【０００７】
【発明の実施の形態】
本発明の柄付きパッドにあっては、周縁部ｂと舌状部ｄ間にパフＰを潜らせて挟み込むものであり、この挟み込みの方向として柄部ａに対して内側解放させてパフＰを挟み込むことになる。即ち、パフＰに対してはその外側（柄部と反対側）に連設部ｃがあるため、外側に向けての遠心力に対して十分耐えられるものとなった。勿論、パフＰの交換は極めて容易となったもので、周縁部ｂからくぐらせて解放しパフＰを引っ張って抜き取れば簡単に取れる。パフＰはコツトンパフ、脱脂綿、ガーゼ、ティッシュペーパーなどがある。
【０００８】
好ましくは、舌状部ｄが少なくとも一方の面に向けて凸面ｆをなすのがよい。パフＰはフワフワとしているが、化粧水等の液体を含むと厚みが減少するので、この凸面ｆによって厚みの減少を補うのである。即ち、パフＰの厚みが減少しても、凸面ｆによって挟み込まれたパフＰは周縁部ｂより膨らんだ状態で取り付けられるのでそれだけ盛り上がることとなりパフＰが最大限利用可能となり、更に身体を叩いても周縁部ｂは肌に強く当たることがなくなるという特徴がある。
【０００９】
又、柄部ａの中間を折畳を自在とする機構Ｇを取り入れたことにより、使用時には長尺の柄部ａとなるが、収納時や携帯時には柄部ａが折り畳まれてコンパクトになる特徴を備えている。かかる折畳機構Ｇは特に限定されることではないが、中間の折畳部を柄部の表裏より補強し、或いは幅方向の左右より補強するものが一般的である。
【００１０】
本発明の柄付きパッドにあっては、柄部、周縁部、舌状部、連設部は全て一体成形としたものであり、その材質はＰＥ、ＰＰ、ＰＶＣ、金属板等が用いられるが、これらに限定されるものではなく、比較的硬質のゴム様材料であってもよい。
【００１１】
【実施例】
図面に基づいて本発明の実施例を説明する。図１〜図３は本発明のＰＰにて形成した柄付きパッドの第１例を示すもので、図１はその平面図、図２は図１の側面図、図３は図１におけるＡ−Ａ線での拡大断面図である。図中、ａは柄部でありｂはその上端に形成された楕円形をなす周縁部である。そして、この周縁部ｂの頂部にのみ連接ｃされ、隙間ｅをもって舌状部ｄが内向きに形成されている。舌状部ｄは前記連接部ｃを中心に上下に揺動可能としたものである。
【００１２】
かかる舌状部ｄの一方の面に凸面ｆをなし、この凸面ｆ側にコットンパフＰが挟まれて柄付きパッドが完成した。この凸面ｆは両面に形成してもよいことは勿論である。尚、周縁部ｂ及び舌状部ｄはいずれも楕円形の例を示したが、これに限定されないことは勿論である。
【００１３】
この柄付きパッドにあって、化粧液をパフＰに滲み込ませて身体を叩いた場合でも、パフＰが遠心力で飛ばされようとする方向に連接部ｃが存在しているためにこれが外れることはなく、更にパフＰの交換も極めて簡単である。
【００１４】
図４〜図８は本発明の柄付きパッドの第２例を示すもので、特に柄部ａに折畳機構Ｇを備えた例を示すものである。図４はその柄部ａのみを取り出した平面図、図５は側面図、図６は折畳機構Ｇとしてのスライダーｇを柄部ａに装着した際の平面図、図７はスライダーｇの展開平面図、図８は図７におけるＢーＢ線での拡大断面図である。
【００１５】
図にて示したように柄部ａは先端側の幅がやや狭まる形状とされ、その部位に幅方向にＶ状の切欠部ｈを設けたものである。この切欠部ｈの底部ｈ0 が屈曲部位となり柄部ａが折り畳まれることになる。又、この柄部ａの長手方向に沿ってＶ状の切欠部ｈを跨いで窪みｉを形成したものである。この窪みｉは後述するスライダーｇの突条部ｊがここに嵌め込まれ、突条部ｊが切欠部ｈを跨いで柄部ａを支持し、柄部ａが伸びた状態が維持されることになる。尚、窪みｉは複数条備えることができることは言うまでもなく、場合によっては柄部ａの表裏に形成されても或いは表裏に貫通した溝条であってもよい。
【００１６】
図６は折畳機構Ｇとして柄部ａにスライダーｇを装着した際の平面図であり、スライダーｇをＶ条の切欠部ｈの一方側に移動（点線）して柄部ａの折り畳みを可能とし、スライダーｇをＶ条の切欠部ｈを跨がせる（実線）ことによって柄部ａが伸びた状態とされる。図にあっては、スライダーｇを舌状部ｄ側に移動することによって柄部ａの折り畳みを可能とする構造であるが、スライダーｇの移動は逆側であってもよい。
【００１７】
図におけるスライダーｇは、柄部ａの表裏を挟んで装着されるものであり、スライダーｇ1 とｇ2 とに分割されている。スライダーｇ1 には中央に突条部ｊが形成され、この突条部ｊが柄部ａに形成した窪みｉ内をスライドさせて柄部ａの折り畳み或いは引き伸ばしが可能となったものである。そして、スライダーｇ1 及びｇ2 は相互に嵌め込まれる突起ｋ1 と穴ｋ2 が形成され、柄部ａを表裏より挟み込んで突起ｋ1 と穴ｋ2 とを嵌め込んで一体とし、両者の隙間が柄部ａの厚さとほぼ同一となり柄部ａの表裏面をスライダーｇにて補強し、特に突条部ｊと窪みｉとの嵌め合わせによってこれが補強される構造となっている。尚、図示はしないが、柄部側に突条部を、そしてスライダー側に窪みを形成して相互にスライドさせて柄部の折り畳み或いは引き伸ばしに用いることも可能である。
【００１８】
尚、柄部ａのＶ条の切欠部ｈを跨ぐ部位の表裏の厚さを徐々に変化させたり、幅を徐々に変え、スライダーをこの部位にスライドさせて表裏或いは幅縁を接触させ、柄部の折り畳み或いは引き伸ばしに用いることも可能である。
【００１９】
折畳機構Ｇとしてのスライダーｇを的確な位置に止めるため、図示はしないがスライダーｇと柄部ａとの相互に嵌め合わせ可能な凹凸部を形成し、これによって位置決めをするのがよい。
【００２０】
【発明の効果】
請求項１の場合は、遠心力がかかる方向に連接部を設けたことによってパフが飛び出してしまうことがなく、力を入れたパッティングすることができる。更に、請求項３にあっては、柄部の折畳を自在としたので使用時は勿論のこと携帯や販売の際にも極めて便利な柄付きパッドが提供できたものである。
【図面の簡単な説明】
【図１】図１は本発明の柄付きパッドの第１例を示す平面図である。
【図２】図２は図１の側面図である。
【図３】図３は図１におけるＡ−Ａ線での拡大断面図である。
【図４】図４は本発明の柄付きパッドの第２例を示す柄部ａのみを取り出した平面図である。
【図５】図５は図４の側面図である。
【図６】図６はスライダーｇを柄部ａに装着した際の平面図である。
【図７】図７はスライダーｇの展開平面図である。
【図８】図８は図７におけるＢーＢ線での拡大断面図である。
【図９】図９は従来例の柄付きパッドを示すものである。
【符号の説明】
Ｐ‥パフ、
ａ‥柄部、
ｂ‥柄部の上端に形成された周縁部、
ｃ‥周縁部の頂部の連接部、
ｄ‥舌状部、
ｅ‥隙間、
ｆ‥舌状部の凸面、
ｇ、ｇ1 、ｇ2 ‥スライダー、
ｈ‥柄部の幅方向に設けたＶ状の切欠部、
ｈ0 ‥切欠部の底部、
ｉ‥柄部の長手方向に沿って形成した窪み、
ｊ‥スライダーの突条部、
ｋ1 、ｋ2 ‥突起と穴。
【図１】
0004824211.tif 000002
【図２】
0004824211.tif 000003
【図３】
0004824211.tif 000004
【図４】
0004824211.tif 000005
【図５】
0004824211.tif 000006
【図６】
0004824211.tif 000007
【図７】
0004824211.tif 000008
【図８】
0004824211.tif 000009
【図９】
0004824211.tif 000010